(57)【特許請求の範囲】
【請求項１】
構築物の下面に掛け止めされた懸垂部材に吊り持ちされている複数の上段吊持機と、
上記上段吊持機同士に橋渡されて該吊持機に噛み合いながら移動可能な上段足場デッキを備え、
上記上段足場デッキには、その下面に上記上段吊持機とは別に該上段足場デッキの長手方向に沿って移動可能な吊持機を備え、該吊持機には、上記上段足場デッキの長手方向と直角な方向に移動可能な下段足場デッキが吊り持ちされていることを特徴とする移動式吊り足場装置。
【請求項２】
上記下段足場デッキを吊り持ちする吊持機には、上記上段足場デッキの長手方向に沿って移動可能な中段吊持機と、該中段吊持機に直接設けられ、上記下段足場デッキの上面に設けられているラックに噛み合いながら上記上段足場デッキの長手方向と直角な方向に移動可能な下段吊持機とが備えられていることを特徴とする請求項１記載の移動式吊り足場装置。
【請求項３】
上記上段足場デッキおよび下段足場デッキには、その長手方向両端部に上記上段吊持機および下段吊持機にそれぞれ係合可能なストッパが設けられて各足場デッキの移動量を規制する構成を備えていることを特徴とする請求項１または２記載の移動式吊り足場装置。
【請求項４】
請求項１乃至３記載の移動式吊り足場装置を用いる吊り足場作業工法であって、
上記構築物下面の梁部に上段吊持機を懸垂支持し、この上段吊持機に噛み合いながら移動可能な上段足場デッキを設け、
上記上段足場デッキの下面にその上段足場デッキの長手方向に移動可能な中段吊持機およびこれに直接取り付けられている下段吊持機を介して上記上段足場デッキの移動方向と直角な方向に移動可能な下段足場デッキを設け、
上記上段足場デッキは、上記上段吊持機を上記移動する方向の前方に位置する上記梁部に順次懸垂支持されて前進移動することができるとともに、その移動位置にて上記下段足場デッキを該上段足場デッキの移動方向と直角な方向に移動可能に支持することを特徴とする移動式吊り足場装置を用いた吊り足場作業工法。
【請求項５】
上記上段足場デッキおよび下段足場デッキは、上記構築物の下面で該上段足場デッキの移動路中に位置する支持部に対してその支持部と干渉しない位置に移動した上で次の作業位置に向け連続的に移動することができることを特徴とする請求項４記載の移動式吊り足場装置を用いた吊り足場作業工法。
【発明の詳細な説明】
【０００１】
【発明の属する技術分野】
本発明は、橋脚に支持された構築物に対してメンテナンス作業を行うための移動式吊り足場装置に関し、詳しくは、橋脚や大型屋根用支柱脚開口部を通過して連続作業が行えるようにした移動式吊り足場装置に関する。
【０００２】
【従来の技術】
メンテナンス作業が必要な構築物として、高架道路や高架橋がある。
これら構築物におけるメンテナンス作業には足場装置が用いられ、この足場装置としては、移動式吊り足場装置が従来一般に知られている（例えば、特公平５−５４５５１号公報）。
【０００３】
前記移動式吊り足場装置は、高架道路や鉄道用高架橋の長手方向に沿ってその下面側に固定される複数本（一般には左右一対）のハンガーレールと、これらのハンガーレールに沿って前後方向に移動自在な複数個の吊持機と、各吊持機に吊持された複数個の第２吊持機と、各第２吊持機に相対移動自在に吊持される複数本のガイドレールを有することで上記ハンガーレールと直交する左右方向に移動自在な足場デッキなどで構成されている。そしてこの移動式吊り足場装置では、高架道路や鉄道用高架橋の下方に吊持された足場デッキが前後左右に移動できることで、高架道路や鉄道用高架橋などのメンテナンス作業を幅方向及び長手方向に渡って行えるようになっている。
ここで、前記移動式吊り足場装置が使用される高架道路や鉄道用高架橋は、その長手方向に沿って所定間隔で配置された複数の橋脚により支持されており、各橋脚は一般に高架道路や鉄道用高架橋の幅内に配置されるが、各橋脚には比較的大きな開口部が設けられている。
【０００４】
一方、メンテナンス作業とは別に、構築物の一つに、例えば、ドーム状運動場などがある。このような構築物にはアーチ状の大型屋根が装備され、その屋根下面での作業が行われる場合があり、この作業に上述した移動式吊り足場装置を用いることがある。
【０００５】
大型屋根の場合には、その作業範囲が高架道路や高架橋に比べて極めて広い。
そこで、高架道路や高架橋などを対象とした移動式吊り場装置を用いると、その構造がガイドレールに沿った移動範囲のみが作業対象範囲となるだけであるので、作業効率が悪い。
このような作業効率の悪化を防ぐために、足場を旋回させる構造も提案されている（例えば、本出願人の先願に係る特開平８−４２１３３号公報）。
【０００６】
【発明が解決しようとする課題】
しかし、上記公報に示されている構造の足場装置を用いて大型屋根のでの作業を行う場合には次のような問題がある。
すなわち、上述した構造の移動式吊り足場装置を大型屋根などの広範囲の作業場に設置する際には、移動式吊り足場装置を移動させるためのハンガーレールを敷設する必要がある。このハンガーレールは、作業が終了すると、吊り足場装置の移動方向前方に敷設されることになるが、このような敷設作業は大型屋根での作業内容とは別の作業工程であるので作業時間が長大化することになり、作業効率を妨げる要因となる。
一方、大型屋根を作業対象とした場合、その大型屋根には地面に設置されている台座部から屋根内面に向けて支持脚が張り出されており、この支持脚の張り出し方向が、移動式吊り足場装置の移動方向を横断する方向、つまり、吊り足場装置が水平方向に移動する場合には縦方向に横断する方向でしかも、吊り足場の移動路に干渉する方向に設定されていることがある。
図１は、本発明実施例を説明するための構築物の図であるが、同図において、上記支持脚（便宜上、符号１Ａで示す）が台座部２に基端を纏めて取り付けられ、この基端から逆三角錐の稜線上に沿った方向に先端が張り出されている場合がある。しかも、屋根自体も傾斜していることから、支持脚１Ａ同士の間で吊り足場装置を旋回させようとした場合、足場デッキが支持脚や屋根に干渉してしまい、支持脚１Ａ間を移動させることができなくなる。
【０００７】
本発明の目的は、上記従来の移動式足場装置における問題、特に、作業範囲を拡大しようとした場合の問題に鑑み、周辺部材に干渉することなく異なる方向での作業領域を確保して作業効率を向上させることができる構成を備えた移動式吊り足場装置およびこれを用いた吊り足場作業工法を提供することにある。
【０００８】
【課題を解決するための手段】
この目的を達成するため、請求項１記載の発明は、構築物の下面に掛け止めされた懸垂部材に吊り持ちされている複数の上段吊持機と、上記上段吊持機同士に橋渡されて該吊持機に噛み合いながら移動可能な上段足場デッキを備え、上記上段足場デッキには、その下面に上記上段吊持機とは別に該上段足場デッキの長手方向に沿って移動可能な吊持機を備え、該吊持機には、上記上段足場デッキの長手方向と直角な方向に移動可能な下段足場デッキが吊り持ちされていることを特徴としている。
【０００９】
請求項２記載の発明は、上記下段足場デッキを吊り持ちする吊持機には、上記上段足場デッキの長手方向に沿って移動可能な中段吊持機と、該中段吊持機に直接設けられ、上記下段足場デッキの上面に設けられているラックに噛み合いながら上記上段足場デッキの長手方向と直角な方向に移動可能な下段吊持機とが備えられていることを特徴としている。
【００１０】
請求項３記載の発明は、上記上段足場デッキおよび下段足場デッキには、その長手方向両端部に上記上段吊持機および下段吊持機にそれぞれ係合可能なストッパが設けられて各足場デッキの移動量を規制する構成を備えていることを特徴としている。
【００１１】
請求項４記載の発明は、請求項１乃至３記載の移動式吊り足場装置を用いる吊り足場作業工法であって、上記構築物下面の梁部に上段吊持機を懸垂支持し、この上段吊持機に噛み合いながら移動可能な上段足場デッキを設け、上記上段足場デッキの下面にその上段足場デッキの長手方向に移動可能な中段吊持機およびこれに直接取り付けられている下段吊持機を介して上記上段足場デッキの移動方向と直角な方向に移動可能な下段足場デッキを設け、上記上段足場デッキは、上記上段吊持機を上記移動する方向の前方に位置する上記梁部に順次懸垂支持されて前進移動することができるとともに、その移動位置にて上記下段足場デッキを該上段足場デッキの移動方向と直角な方向に移動可能に支持することを特徴としている。
【００１２】
請求項５記載の発明は、上記上段足場デッキおよび下段足場デッキは、上記構築物の下面で該上段足場デッキの移動路中に位置する支持部に対してその支持部と干渉しない位置に移動した上で次の作業位置に向け連続的に移動することができることを特徴としている。
【００１３】
【作用】
請求項１乃至３記載の発明では、構築物下面に懸垂支持されて移動可能な上段足場デッキの下面にこの上段足場デッキの長手方向および長手方向と直角な方向に移動可能な下段足場デッキを備えることで平面視において縦横の作業範囲を確保することができる。しかも、移動量は吊持機に係合可能なストッパにより規定されるので、吊持機が脱落するような事態を防止でき安全に作業場を提供することができる。
【００１４】
請求項４および５記載の発明では、構築物下面に位置する梁部に対して上段吊持機を順次懸垂支持されることにより上段足場デッキを連続的に移動させて作業範囲を拡大できると共に、この移動した上段足場デッキに対して下段足場デッキを上段足場デッキの移動方向およびこの方向と直角な方向に移動させることができるので、ハンガーレールなどの継ぎ足し作業を要することなく平面視において連続的に縦横方向での作業範囲を拡大していくことができる。
【００１５】
請求項５記載の発明では、構築物において上段足場デッキの移動路に介在する支持部が存在していてもその支持部との干渉を裂ける位置に上段足場デッキを移動させて次の作業位置に上段足場デッキを位置させることができるので、足場デッキが途中で分断されることなく同じ足場デッキを連続的に次の作業位置に位置決めすることができる。
【００１６】
【実施例】
以下、図示実施例により本発明の詳細を説明する。
図１は、本発明実施例による移動式吊り足場装置が適用される構築物の一部を示しており、同図に示した構築物は、アーチ状の大型屋根を備えたドーム状運動場である。
図１において、大型屋根１は、地上側から傾斜させて構築されており、その地上側の下面には、地上に設置された台座部２に基端が纏めて取り付けられている支持脚１Ａの先端が取り付けられている。
支持脚１Ａは、前述したように、逆三角錐の稜線上に配置された状態をなし、その先端が大型屋根１の支持梁１Ｂに固定されている。
【００１７】
支持梁１Ｂの敷設方向における複数箇所には懸垂支持された上段吊持機３が設けられている。
上段吊持機３は、図２に示すように、支持梁１Ｂの下片をなすフランジ１Ｂ１に掛け止めされたワイヤあるいはチェーンなどの懸垂部材４により懸垂支持されており、内部には、図３に示す構成が設けられている。
図３において上段吊持機３は、ケーシング３Ａ内に横架されている連結ピン３Ｂに懸垂部材４の下端が取り付けられており、ケーシング３Ａの内部には、回転自在に支持された前後左右４個のフランジ付車輪３Ｃが備えられている。
フランジ付車輪３Ｃは、後述する上段足場デッキ５の上面に設けられているガイドレール部５Ａに沿って移動することができ、フランジ部３Ｃ１がガイドレール５Ａのレール部５Ａ１を挟持することで脱輪が防止されている。
上記上段吊持機３のうちの少なくとも一つには、図３に示すように、ガイドレール部５Ａにおいて側面視形状が波形に形成されているラック歯５Ａ２に噛み合うピニオン輪３Ｄが中心軸３Ｅを介してケーシング３Ａに回転自在に支持されており、この中心軸３Ｅには、従動ギヤ３Ｆが固定されている。この従動ギヤ３Ｆには、ケーシング３Ａにより回転自在に支持されている駆動ハンドル３Ｇの支軸３Ｇ１に取り付けられて減速機構をなすピニオンギヤ３Ｈが噛み合わせてある。従って、駆動ハンドル３Ｇを回転させることで従動ギヤ３Ｆが連動し、減速機構を介してピニオン輪３Ｄが回転することにより、上段吊持機３がガイドレール５Ａに沿って走行することができる。上段吊持機３の走行位置での係止は、ガイドレール５Ａのラック歯５Ａ２に対向して形成された挿通孔３Ａ１からロックピン６を挿通してラック歯５Ａ２の一つを係止することで行われる。
【００１８】
上段足場デッキ５は、図２に示すように、支持梁１Ｂ間を長手方向とし、上縁が断面形状Ｔ字状をなすガイドレール部５Ａで構成され、下縁がパイプ材５Ｂで構成された左右一対のトラスビーム５Ｃと、図４に示すように、下縁のパイプ材５Ｂ間にフック５Ｄ１を介して掛け渡されることでトラスビーム５Ｃの長手方向に沿って敷き詰められる多数の足場板５Ｄとを備えている。
【００１９】
上段足場デッキ５の下縁には、パイプ材５Ｂの下周面に一体化されている下向きＴ字状をなす下部フレーム７が上段足場デッキ５の長手方向に平行して設けられている。
図５において下部フレーム７には、そのフランジに固定されたＣ型万力８を介して断面逆Ｔ字状をなす下部ガイドレール９が懸垂支持されており、下部ガイドレール９に沿って中段吊持機１０が移動可能に設けられている。
中段吊持機１０は、上記上段吊持機３と略同様な構造であり、前記ケーシング３Ａ、フランジ付車輪３Ｃに対応したケーシング１０Ａ、フランジ付車輪１０Ｃを備えている。
ここで、中段吊持機１０のうち、少なくとも１個の中段吊持機１０は、前記上段吊持機３におけるピニオン輪３Ｄ、中心軸３Ｅ、従動ギヤ３Ｆ、ピニオンギヤ３Ｈ、駆動ハンドル３Ｇ、挿通孔３Ａ１にそれぞれ対応したピニオン輪、中心軸、従動ギヤ、ピニオンギヤ、駆動ハンドル、挿通孔（いずれも図示されず）が設けられ、駆動ハンドルを回転させることで下部ガイドレール９に沿って上段足場デッキ５の長手方向に平行して移動するようになっている。なお、下部ガイドレール９のレール部９Ａ１に設けられているラック歯９Ａ２は、その詳細が図６に示されている。
【００２０】
上記中段吊持機１０には、上段吊持機３における連結ピンに相当するものがなく、その代わり、ケーシング１０Ａの下面に一体化されているブラケット１０Ｂを介して下段吊持機１１が直接取り付けられている。
下段吊持機１１は、中段吊持機１０の移動方向と直角な方向、換言すれば、上段吊持機３の移動方向と直角な方向に長手方向を有するケーシング１１Ａを備えており、そのケーシング１１Ａの上面に設けられているブラケット１１Ｂが中段吊持機１０のブラケット１０Ｂに直接一体化されている。
ケーシング１１Ａの内部には、ケーシング１１Ａの長手方向に沿って前後左右４個のフランジ付車輪１１Ｃが回転自在に支持されている。
フランジ付車輪１１Ｃは、後述する下段足場デッキ１２の上面に設けられているガイドレール部１２Ａに沿って移動することができ、フランジ部１１Ｃ１がガイドレール部１２Ａのレール部１２Ａ１を挟持することで脱輪が防止されている。
上記下段吊持機１１のうちの少なくとも一つには、図３に示した上段吊持機３と同様に、ガイドレール部１２Ａにおいて側面視形状が波形に形成されているラック歯１２Ａ２に噛み合うピニオン輪（図示されず）が中心軸（図示されず）を介してケーシング１１Ａに回転自在に支持されており、この中心軸には、従動ギヤ（図示されず）が固定されている。この従動ギヤには、ケーシング１１Ａにより回転自在に支持されている駆動ハンドル（図示されず）の支軸（図示されず）に取り付けられて減速機構をなすピニオンギヤ（図示されず）が噛み合わせてある。従って、駆動ハンドルを回転させることで従動ギヤが連動し、減速機構を介してピニオン輪が回転することにより、下段吊持機１１がガイドレール１２Ａに沿って走行することができる。下段吊持機１１の走行位置での係止は、図３に示した上段吊持機３の場合と同様に、ガイドレール１２Ａのラック歯１２Ａ２に対向して形成された挿通孔（図示されず）からロックピン（図示されず）を挿通してラック歯１２Ａ２の一つを係止することで行われる。
【００２１】
下段足場デッキ１２は、支持梁１Ｂ間を長手方向とする上段足場デッキに対して直角な方向を長手方向とし、上縁が断面形状Ｔ字状をなすガイドレール部１２Ａで構成され、下縁がパイプ材１２Ｂで構成された左右一対のトラスビーム１２Ｃと、図４に示した構成と同様に、下縁のパイプ材１２Ｂ間にフック（図示されず）を介して掛け渡されることでトラスビーム１２Ｃの長手方向に沿って敷き詰められる多数の足場板（図示されず）とを備えている。
下段足場デッキ１２は、下段吊持機１１が中段吊持機１０の移動方向と直角な方向に移動できることにより、図７に示すように、上段足場デッキ５に対してその長手方向および交差する方向に移動することができるようになっており、図８に示すように、上段足場デッキ５における長手方向と直角な方向である幅方向での移動量を確保できるようになっている。
上記上段足場デッキ５および下段足場デッキ１２には、ラック歯５Ａ２，１２Ａ２の長手方向両端部に、各吊持機３，１０，１１の移動量を規定するために上段吊持機３，厳談吊持機１１の移動路中に突出する突起で構成された係止片（図７中、符号５Ｐ、１２Ｐで示す部材）が設けられており、この係止片に吊持機が衝合することでそれ以上の移動を規制するようになっている。
なお、図８中、符号５Ｅ、１２Ｄは、起倒可能に設けられた手摺りを示している。
【００２２】
本実施例は以上のような構成であるから、図２に示すように、上段吊持機３が大型屋根１の支持梁１Ｂに対して直接懸垂支持されるので、従来必要とされていたハンガーレールを用いることなく、上段足場デッキ５の移動方向と下段足場デッキ１２の移動方向とで平面視において縦横の作業面積を確保することができる。これにより、ハンガーレールを装備しなくて良い分、作業工数および作業時間の短縮が図れ、しかも、作業範囲の面積を縦横方向で拡大させることができるので、一つの移動式吊り足場を用いた場合の作業効率を向上させることができる。
【００２３】
次に上記構成の足場装置を用いた足場作業工法について説明する。
図９は、図１に示した大型屋根１の傾斜方向に沿って複数箇所（図１中、符号（Ａ）、（Ｂ）、（Ｃ）、（Ｄ）の各位置）に設置されている足場装置の平面図であり、Ｘ方向での上段足場デッキ５の長さに対してＹ方向での下段足場デッキ１２の長さを（これら各長さは、図９においてスクリーントーンにより示してある）相乗した面積が単位位置での作業範囲となり、この作業範囲がＸ方向での上段足場デッキ５の移動により連続して得られることになる。
【００２４】
上段足場デッキ５がＸ方向に移動する際には、図１０および図１１に示す手順が実行される。なお、図における符号（Ａ）、（Ｂ）、（Ｃ）、（Ｄ）で示す位置は、図１１における符号Ａ、Ｂ、Ｃ、Ｄで示す位置に対応していることを前提として説明する。
すなわち、図１０（Ａ）に示すように、クレーン１３によって吊り持ちされた移動式吊り足場装置を隣り合う支持梁１Ｂ同士（図１０（Ａ）において符号Ａ、Ｂで示す位置の支持梁）に対応するように位置決めし、支持梁１Ｂに掛け止めされている懸垂部材４により上段吊持機３を連結する。これにより、支持梁１Ｂ間に懸垂された移動式吊り足場装置は、上段足場デッキ５の長手方向に移動できると共にこの移動方向と直角な方向に下段足場デッキ１２が移動することにより図９に示した作業面積が得られる。この時の上段足場デッキ５の位置は、図１１における符号（１０−ａ）で示す位置に相当している。
次に図１０（Ｂ）において、符号Ｂで示した位置の支持梁１Ｂから更に隣り合う位置（符号Ｃで示す位置）の支持梁１Ｂに対して上段足場デッキ５を移し換える場合には、符号Ａ、Ｂで示す位置の支持梁１Ｂの中間位置に設けられている梁部材１Ｂ１に対して懸垂部材４を掛け止め直すとともに、符号Ａで示す位置の支持梁１Ｂから懸垂部材４を取り外す。これにより、上段足場デッキ５の移動方向後端部が、符号Ａで示す位置から符号Ｄ（図１０（Ｃ）参照）で示す位置に変更されるので、上段足場デッキ５は、矢印で示す方向に移動することができる。この時の上段足場デッキ５の位置は、図１１における符号（１０−ｂ）で示す位置に相当している。
さらに、図１０（Ｃ）において、符号Ｄで示す位置の梁部材１Ｂ１に懸垂部材４を掛け止めした状態で上段足場デッキ５を矢印方向に移動させる際には、その移動方向先端部をクレーン１３によって吊り持ちし、符号Ｃで示す位置の支持梁１Ｂに向け移動させる。このときの上段足場デッキ５の位置は図１１における符号（１０−ｃ）で示す位置に相当している。
一方、図１０（Ｄ）において符号Ｃで示す位置の支持梁１Ｂに対応した位置に上段足場デッキ５が達すると、符号Ｃで示す位置の支持梁１Ｂに対して懸垂部材４を掛け止めしてその位置での作業を行う。この位置での上段足場デッキ５の位置は、図１１における符号（１０−ｄ）で示す位置に相当している。
このように、隣り合う支持梁１Ｂ間で上段吊持機３の懸垂支持を順次変更していくことで連続した足場デッキの移動が可能となり、各位置での作業面積を上段および下段の各足場デッキ５，１２の移動により拡大させることができる。
【００２５】
一方、図２において支持脚１Ａの近傍に配置されている移動式吊り足場装置は、図２を示す紙面に対して直角な方向に下段足場デッキ１２が移動する際、支持脚１１Ａに干渉する状態で位置していることがある。そこで、本実施例では、干渉する虞のある下段足場デッキ１２を上段足場デッキ５の移動方向と直角な方向に移動させることで干渉しない位置に置くことができるので、支持脚１Ａの存在に関係なく、上段足場デッキ５を連続して移動させることができる。
【００２６】
【発明の効果】
以上の説明から明らかなように、請求項１乃至３記載の発明によれば、構築物下面に懸垂支持されて移動可能な上段足場デッキの下面にこの上段足場デッキの長手方向および長手方向と直角な方向に移動可能な下段足場デッキを備えることで平面視において縦横の作業範囲を確保することができる。しかも、移動量は吊持機に係合可能なストッパにより規定されるので、吊持機が脱落するような事態を防止でき安全に作業場を提供することができる。これにより、構築物に直接懸垂支持される上段足場デッキおよび下段足場デッキを用いるだけで、作業範囲の面積を拡大して作業範囲を広げることができるので、一つの移動式吊り足場装置による作業範囲を拡大して作業効率を向上させることが可能となる、
【００２７】
請求項４および５記載の発明によれば、構築物下面に位置する梁部に対して上段吊持機を順次懸垂支持されることにより上段足場デッキを連続的に移動させて作業範囲を拡大できると共に、この移動した上段足場デッキに対して下段足場デッキを上段足場デッキの移動方向およびこの方向と直角な方向に移動させることができるので、ハンガーレールなどの継ぎ足し作業を要することなく平面視において連続的に縦横方向での作業範囲を拡大していくことが可能となる。
【００２８】
請求項５記載の発明によれば、構築物において上段足場デッキの移動路に介在する支持部が存在していてもその支持部との干渉を裂ける位置に上段足場デッキを移動させて次の作業位置に上段足場デッキを位置させることができるので、足場デッキが途中で分断されることなく同じ足場デッキを連続的に次の作業位置に位置決めすることができ、これにより作業効率を向上させることが可能となる。
【図面の簡単な説明】
【図１】本発明実施例による移動式吊り足場装置の全体概略構造を示す構築物の側面図である。
【図２】図１に示した構築物に設置される移動式吊り足場装置に用いられる上段足場デッキおよび下段足場デッキを示す図である。
【図３】図２に示した上段および下段足場デッキの移動に用いられる吊持機のうちで、上段吊持機の構成を説明するための図である。
【図４】図２に示した上段足場デッキに用いられる足場板を示す斜視図である。
【図５】図２に示した下段足場デッキの移動に用いられる中段吊持機および下段吊持機の構成を説明するための図である。
【図６】図５中、符号（６）で示す方向の矢視図である。
【図７】図２に示した上段足場デッキおよび下段足場デッキの平面図である。
【図８】図２に示した上段および下段足場デッキと構築物下面とのは位置関係を説明するための側面図である。
【図９】図２に示した上段および下段足場デッキの移動状態を説明するための構築物の平面図である。
【図１０】図２に示した上段および下段足場デッキの移動状手順を説明するための図である。
【図１１】図１０に示した移動手順の過程毎での上段および下段足場デッキの位置を説明するための構築物の平面図である。
【符号の説明】
１              構築物の一つである大型屋根
１Ａ            支持脚
１Ｂ            支持梁
１Ｂ１，１Ｂ２  梁部材
３              上部吊持機
４              懸垂部材
５              上段足場デッキ
５Ａ            ガイドレール部
５Ａ１          レール部
５Ａ２          ラック歯
５Ｃ            トラスビーム
５Ｄ            足場板
７              下部フレーム
９              下部ガイドフレーム
１０            中段吊持機
１１            下段吊持機
１２            下段足場デッキ
１２Ａ          ガイドレール部
１２Ａ１        レール部
１２Ａ２        ラック歯
１３            クレーン
【図１】
0004128308.tif 000002
【図２】
0004128308.tif 000003
【図３】
0004128308.tif 000004
【図４】
0004128308.tif 000005
【図５】
0004128308.tif 000006
【図６】
0004128308.tif 000007
【図７】
0004128308.tif 000008
【図８】
0004128308.tif 000009
【図９】
0004128308.tif 000010
【図１０】
0004128308.tif 000011
【図１１】
0004128308.tif 000012